(57)【要約】【課題】  印刷物が凹凸部を有する貼付面上に貼り付けられた際に発生する印刷物の視認される画像の歪みを軽減する軽減する。【解決手段】  画像処理装置の制御部２１のＣＰＵ２１１は、貼付面の形状に応じて、印刷物が貼付面上に貼り付けられた状態で、原画像データが作像された印刷物が基準平面に貼り付けられた場合と同等の画像であると視認されるべく、原画像データを部分的に拡縮して印刷画像データを生成する画像変形部２１１ａを備え、制御部２１のＲＡＭ２１２は、基準平面に対して凹凸部を有する貼付面の形状を規定する形状データ格納する形状記憶部２１２ａと、原画像データを格納する原画像記憶部２１２ｂを備えている。【選択図】      図６
2005167454.tif 000002
【特許請求の範囲】
【請求項１】
所定の基準平面に対して凹凸部を有する貼付面上に貼り付ける印刷物に形成される印刷画像データを原画像データから生成する画像処理装置であって、
前記貼付面の形状を規定する形状データを格納する形状記憶手段と、
前記原画像データを格納する原画像記憶手段と、
前記貼付面の形状に応じて、前記印刷物が前記貼付面上に貼り付けられた状態で、前記原画像データが作像された印刷物が前記基準平面に貼り付けられた場合と同等の画像であると視認されるべく、前記原画像データに対して部分的に拡大及び縮小の少なくとも一方の拡縮処理を施して印刷画像データを生成する画像変形手段とを備えることを特徴とする画像処理装置。
【請求項２】
前記凹凸部は、前記基準平面に垂直な互いに平行な１の平面による前記凹凸部の断面形状を前記基準平面と平行な所定の方向に平行移動した前記凹凸部表面の軌跡の形状を有し、
前記形状記憶手段は、前記断面形状の輪郭線を格納することを特徴とする請求項１に記載の画像処理装置。
【請求項３】
前記画像変形手段は、前記基準平面を前記所定の方向に直交する方向に所定間隔で短冊状に分割した部分領域毎に、対応する原画像データの拡大率または縮小率を求め、前記原画像データを前記部分領域毎の拡大率または縮小率に従って拡縮することを特徴とする請求項２に記載の画像処理装置。
【請求項４】
前記画像変形手段は、前記部分領域毎に、前記部分領域にそれぞれ対応する前記凹凸部表面に沿った前記所定の方向に直交する方向の距離に応じて前記拡大率または縮小率を求めることを特徴とする請求項３に記載の画像処理装置。
【請求項５】
前記画像変形手段は、前記基準平面と前記輪郭線の接線又は法線とのなす角に応じて原画像データの拡大率または縮小率を求め、求められた拡大率または縮小率に従って前記原画像データを拡縮することを特徴とする請求項１〜３のいずれかに記載の画像処理装置。
【請求項６】
前記画像変形手段は、前記部分領域毎に、前記基準平面の前記部分領域の中心位置における垂線と前記凹凸部の表面との交点を求め、この交点における前記凹凸部の表面の接線又は法線と前記基準平面とのなす角に応じて前記拡大率または縮小率を求めることを特徴とする請求項３に記載の画像処理装置。
【請求項７】
請求項１〜６のいずれかに記載の画像処理装置と、
前記画像処理装置によって得られた印刷画像データを記録紙上に作像して出力する出力手段とを備えることを特徴とする画像形成装置。
【請求項８】
所定の基準平面に対して凹凸部を有する貼付面上に貼り付ける印刷物に形成される印刷画像データを原画像データから生成する画像処理プログラムであって、コンピュータを、
前記貼付面の形状を規定する形状データを格納する形状記憶手段と、
前記原画像データを格納する画像記憶手段と、
前記貼付面の形状に応じて、前記印刷物が前記貼付面上に貼り付けられた状態で、前記原画像データが作像された印刷物が前記基準平面に貼り付けられた場合と同等の画像であると視認されるべく、前記原画像データに対して部分的に拡大及び縮小の少なくとも一方の拡縮処理を施して印刷画像データを生成する画像変形手段として機能させることを特徴とする画像処理プログラム。
【発明の詳細な説明】
【技術分野】
【０００１】
本発明は、所定の基準平面に対して凹凸部を有する貼付面上に貼り付ける印刷物に形成される印刷画像データを原画像データから生成する画像処理装置、写真処理装置及び画像処理プログラムに関する。
【背景技術】
【０００２】
従来、建築物の壁面や、大型自動車、列車の側面等に、大型のポスター等の印刷物を貼り付けた広告が行われていたが、例えばＡ０サイズ等の大型のポスターを印刷する場合には、高価な印刷装置が必要であるため専門店に依頼する必要があり、少ない枚数だけ印刷する場合には一枚当りの単価が高額となるという課題があった。
【０００３】
上記の課題に対して、種々の提案が開示されている。例えば、サイズの大きな感光性の印刷用紙をロール状にパッケージングした印刷用紙パッケージを用い、これを収納する収納部と、紙送りローラおよび露光用ヘッドなどを印刷用紙の横方向に長く延びたハウジングに収納したプリンタが提案されている（特許文献１参照）。
【特許文献１】特開平１０−１４７０２７号公報
【発明の開示】
【発明が解決しようとする課題】
【０００４】
このようなプリンタはコンパクトに製造することができ、設置スペースも小さく、例えば、壁掛けで使用することも可能であるため、一般のユーザが手軽に購入して少数のポスターを印刷することができる。
【０００５】
しかし、広告用等の印刷物が貼り付けられる建築物の壁面や、大型自動車、列車の側面等の貼付面は必ずしも平面ではなく、凹凸部を有する場合があり、このような貼付面に印刷物が貼り付けられた場合には、凹凸部上の文字、図形等の印刷画像が歪んで見えるという課題がある。
【０００６】
本発明は、上記課題に鑑みてなされたもので、印刷物が凹凸部を有する貼付面上に貼り付けられた際に発生する印刷物の視認される画像の歪みを軽減する画像処理装置、画像形成装置及び画像処理プログラムを提供することを目的とする。
【課題を解決するための手段】
【０００７】
請求項１に記載の画像処理装置は、所定の基準平面に対して凹凸部を有する貼付面上に貼り付ける印刷物に形成される印刷画像データを原画像データから生成する画像処理装置であって、前記貼付面の形状を規定する形状データを格納する形状記憶手段と、前記原画像データを格納する原画像記憶手段と、前記貼付面の形状に応じて、前記印刷物が前記貼付面上に貼り付けられた状態で、前記原画像データが作像された印刷物が前記基準平面に貼り付けられた場合と同等の画像であると視認されるべく、前記原画像データに対して部分的に拡大及び縮小の少なくとも一方の拡縮処理を施して印刷画像データを生成する画像変形手段とを備えることを特徴としている。
【０００８】
上記の構成によれば、形状記憶手段に、所定の基準平面に対して凹凸部を有する貼付面の形状を規定する形状データが格納され、原画像記憶手段に、印刷物に形成される印刷画像データの原始データである原画像データが格納されている。そして、画像変形手段によって、貼付面の形状に応じて、印刷物が貼付面上に貼り付けられた状態で、原画像データが作像された印刷物が基準平面に貼り付けられた場合と同等の画像であると視認されるべく、原画像データに対して部分的に拡大及び縮小の少なくとも一方の拡縮処理が施されて印刷画像データが生成される。
【０００９】
従って、貼付面の形状に応じて、印刷物が貼付面上に貼り付けられた状態で、原画像データが作像された印刷物が前記基準平面に貼り付けられた場合と同等の画像であると視認されるべく（すなわち、基準平面と所定角度（例えば、直角）で交差する交線に平行に基準平面に写像された画像が原画像と同一とするべく）、原画像データに対して部分的に拡大及び縮小の少なくとも一方の拡縮処理が施されて印刷画像データが生成されるため、この印刷画像データを作像して印刷物として貼付面に貼り付けた場合に、貼付面に凹凸部があるにもかかわらず、印刷物の視認される画像の歪みが軽減される。
【００１０】
請求項２に記載の画像処理装置は、前記凹凸部が、前記基準平面に垂直な互いに平行な１の平面による前記凹凸部の断面形状を前記基準平面と平行な所定の方向に平行移動した前記凹凸部表面の軌跡の形状を有し、前記形状記憶手段が、前記断面形状の輪郭線を格納することを特徴としている。
【００１１】
上記の構成によれば、凹凸部が、基準平面に垂直な互いに平行な１の平面による凹凸部の断面形状を基準平面と平行な所定の方向に平行移動した凹凸部表面の軌跡の形状を有しており、形状記憶手段に、断面形状の輪郭線が格納されている。
【００１２】
従って、凹凸部が、基準平面に垂直な互いに平行な１の平面による凹凸部の断面形状を基準平面と平行な所定の方向に平行移動した凹凸部表面の軌跡の形状を有しているため、貼付面の形状を規定する形状データが断面形状の輪郭線として規定され、形状データが容易に且つコンパクトに格納される。
【００１３】
請求項３に記載の画像処理装置は、前記画像変形手段が、前記基準平面を前記所定の方向に直交する方向に所定間隔で短冊状に分割した部分領域毎に、対応する原画像データの拡大率または縮小率を求め、前記原画像データを前記部分領域毎の拡大率または縮小率に従って拡縮することを特徴としている。
【００１４】
上記の構成によれば、画像変形手段によって、基準平面を所定の方向に直交する方向に所定間隔で短冊状に分割した部分領域毎に、対応する原画像データの拡大率または縮小率が求められ、原画像データが部分領域毎の拡大率または縮小率に従って拡縮される。
【００１５】
従って、部分領域毎に対応する原画像データの拡大率または縮小率が求められ、原画像データが部分領域毎の拡大率または縮小率に従って拡縮されるため、拡大率または縮小率を求める処理及び原画像データを拡縮する処理が簡略化される。
【００１６】
請求項４に記載の画像処理装置は、前記画像変形手段が、前記部分領域毎に、前記部分領域にそれぞれ対応する前記凹凸部表面に沿った前記所定の方向に直交する方向の距離に応じて前記拡大率または縮小率を求めることを特徴としている。
【００１７】
上記の構成によれば、画像変形手段によって、部分領域毎に、部分領域にそれぞれ対応する凹凸部表面に沿った所定の方向に直交する方向の距離に応じて拡大率または縮小率が求められる。ここで、印刷物が貼付面上に貼り付けられた状態で、凹凸部表面に沿った所定の方向に直交する方向の距離が長い程、印刷物の画像がより縮小されて視認される。従って、凹凸部表面に沿った所定の方向に直交する方向の距離に応じて拡大率または縮小率が求められるため、印刷物の視認される画像の歪みが良好に軽減される。
【００１８】
請求項５に記載の画像処理装置は、前記画像変形手段が、前記基準平面と前記輪郭線の接線又は法線とのなす角に応じて原画像データの拡大率または縮小率を求め、求められた拡大率または縮小率に従って前記原画像データを拡縮することを特徴としている。
【００１９】
上記の構成によれば、画像変形手段によって、基準平面と輪郭線の接線又は法線とのなす角に応じて原画像データの拡大率または縮小率が求められ、求められた拡大率または縮小率に従って原画像データが拡縮される。
【００２０】
従って、基準平面と輪郭線の接線又は法線とのなす角に応じて原画像データの拡大率または縮小率が求められるため、適切な拡大率または縮小率が容易に求められる。そして、印刷画像データを作像して印刷物として貼付面に貼り付けた場合に、貼付面に凹凸部があるにもかかわらず、適切な拡大率または縮小率に従って原画像データが拡縮されるため、印刷物の視認される画像の歪みが良好に軽減される。
【００２１】
請求項６に記載の画像処理装置は、前記画像変形手段が、前記部分領域毎に、前記基準平面の前記部分領域の中心位置における垂線と前記凹凸部の表面との交点を求め、この交点における前記凹凸部の表面の接線又は法線と前記基準平面とのなす角に応じて前記拡大率または縮小率を求めることを特徴としている。
【００２２】
上記の構成によれば、画像変形手段によって、部分領域毎に、基準平面の部分領域の中心位置における垂線と凹凸部の表面との交点が求められ、この交点における凹凸部の表面の接線又は法線と基準平面とのなす角に応じて拡大率または縮小率が求められる。
【００２３】
ここで、印刷物が貼付面上に貼り付けられた状態で、部分領域内での凹凸部の表面の曲率の変化が小さい場合には、上記の交点における凹凸部の表面の接線と基準平面とのなす角が大きい程（法線と基準平面とのなす角が小さい程）印刷物の画像がより縮小されて視認される。従って、基準平面の部分領域の中心位置における垂線と凹凸部の表面との交点における凹凸部の表面の接線又は法線と基準平面とのなす角に応じて拡大率または縮小率が求められるため、印刷物の視認される画像の歪みが簡便に且つ良好に軽減される。
【００２４】
請求項７に記載の画像形成装置は、請求項１〜６のいずれかに記載の画像処理装置と、前記画像処理装置によって得られた印刷画像データを記録紙上に作像して出力する出力手段とを備えることを特徴としている。
【００２５】
上記の構成によれば、請求項１〜６のいずれかに記載の画像処理装置を備え、出力手段によって、画像処理装置により得られた印刷画像データが記録紙上に作像されて出力されるため、貼付面に凹凸部があるにもかかわらず、視認される画像の歪みが軽減された印刷物が得られる。
【００２６】
請求項８に記載の画像処理プログラムは、所定の基準平面に対して凹凸部を有する貼付面上に貼り付ける印刷物に形成される印刷画像データを原画像データから生成する画像処理プログラムであって、コンピュータを、前記貼付面の形状を規定する形状データを格納する形状記憶手段と、前記原画像データを格納する画像記憶手段と、前記貼付面の形状に応じて、前記印刷物が前記貼付面上に貼り付けられた状態で、前記原画像データが作像された印刷物が前記基準平面に貼り付けられた場合と同等の画像であると視認されるべく、前記原画像データに対して部分的に拡大及び縮小の少なくとも一方の拡縮処理を施して印刷画像データを生成する画像変形手段として機能させることを特徴としている。
【００２７】
上記のプログラムによれば、形状記憶手段に、所定の基準平面に対して凹凸部を有する貼付面の形状を規定する形状データが格納され、原画像記憶手段に、印刷物に形成される印刷画像データの原始データである原画像データが格納されている。そして、画像変形手段によって、貼付面の形状に応じて、印刷物が貼付面上に貼り付けられた状態で、原画像データが作像された印刷物が基準平面に貼り付けられた場合と同等の画像であると視認されるべく（すなわち、基準平面と所定角度（例えば、直角）で交差する交線に平行に基準平面に写像された画像が原画像と同一とするべく）、原画像データに対して部分的に拡大及び縮小の少なくとも一方の拡縮処理が施されて印刷画像データが生成される。
【００２８】
従って、貼付面の形状に応じて、印刷物が貼付面上に貼り付けられた状態で、原画像データが作像された印刷物が前記基準平面に貼り付けられた場合と同等の画像であると視認されるべく、原画像データに対して部分的に拡大及び縮小の少なくとも一方の拡縮処理が施されて印刷画像データが生成されるため、この印刷画像データを作像して印刷物として貼付面に貼り付けた場合に、貼付面に凹凸部があるにもかかわらず、印刷物の視認される画像の歪みが軽減される。
【発明の効果】
【００２９】
請求項１に記載の発明によれば、貼付面の形状に応じて、印刷物が貼付面上に貼り付けられた状態で、原画像データが作像された印刷物が基準平面に貼り付けられた場合と同等の画像であると視認されるべく、原画像データに対して部分的に拡大及び縮小の少なくとも一方の拡縮処理が施されて印刷画像データが生成されるため、印刷画像データを作像して印刷物として貼付面に貼り付けた場合に、貼付面に凹凸部があるにもかかわらず、印刷物の視認される画像の歪みを軽減できる。
【００３０】
請求項２に記載の発明によれば、凹凸部が、基準平面に垂直な互いに平行な１の平面による凹凸部の断面形状を基準平面と平行な所定の方向に平行移動した凹凸部表面の軌跡の形状を有しているため、貼付面の形状を規定する形状データが断面形状の輪郭線として規定され、形状データが容易に且つコンパクトに格納できる。
【００３１】
請求項３に記載の発明によれば、部分領域毎に対応する原画像データの拡大率または縮小率が求められ、原画像データが部分領域毎の拡大率または縮小率に従って拡縮されるため、拡大率または縮小率を求める処理及び原画像データを拡縮する処理を簡略化できる。
【００３２】
請求項４に記載の発明によれば、凹凸部表面に沿った所定の方向に直交する方向の距離に応じて拡大率または縮小率が求められるため、印刷物の視認される画像の歪みを良好に軽減できる。
【００３３】
請求項５に記載の発明によれば、基準平面と輪郭線の接線又は法線とのなす角に応じて原画像データの拡大率または縮小率が求められるため、適切な拡大率または縮小率を容易に求めることができる。そして、印刷画像データを作像して印刷物として貼付面に貼り付けた場合に、貼付面に凹凸部があるにもかかわらず、適切な拡大率または縮小率に従って原画像データが拡縮されるため、印刷物の視認される画像の歪みを良好に軽減できる。
【００３４】
請求項６に記載の発明によれば、基準平面の部分領域の中心位置における垂線と凹凸部の表面との交点における凹凸部の表面の接線又は法線と基準平面とのなす角に応じて拡大率または縮小率が求められるため、印刷物の視認される画像の歪みを簡便に且つ良好に軽減できる。
【００３５】
請求項７に記載の発明によれば、請求項１〜６のいずれかに記載の画像処理装置を備え貼付面に凹凸部があるにもかかわらず、視認される画像の歪みが軽減された印刷物がられる画像形成装置を実現できる。
【００３６】
請求項８に記載の発明によれば、貼付面の形状に応じて、印刷物が貼付面上に貼り付けられた状態で、原画像データが作像された印刷物が基準平面に貼り付けられた場合と同等の画像であると視認されるべく、原画像データに対して部分的に拡大及び縮小の少なくとも一方の拡縮処理が施されて印刷画像データが生成されるため、印刷画像データを作像して印刷物として貼付面に貼り付けた場合に、貼付面に凹凸部があるにもかかわらず、印刷物の視認される画像の歪みを軽減できる。
【発明を実施するための最良の形態】
【００３７】
以下、図１〜図１１を用いて本発明の一実施形態について説明する。図１は、本発明が適用される写真処理装置の概略構成図の一例である。写真処理装置１のハウジング１０の内部１０Ｂには、レーザ光を用いて感光材１１の露光処理を行うレーザ露光装置１４が、感光材１１を搬送するコンベア１５上の露光位置１５Ｘに対向するように設けられている。
【００３８】
コンベア１５は、複数組の従動ローラ１５Ａ及び駆動ローラ１５Ｂとガイドレール１５Ｃなどで構成されている。ハウジング１０の上面１０Ａには、ロール状に巻回された感光材１１をそれぞれ収納する複数、例えば２つのマガジン１２Ａ及び１２Ｂが装着されている。マガジン１２Ａ及び１２Ｂに収納されている感光材１１の種類を検出するために、２組のセンサ１２Ａ１及び１２Ｂ１が、それぞれマガジン１２Ａ及び１２Ｂに設けられている。
【００３９】
ハウジング１０、マガジン１２Ａ及び１２Ｂはそれぞれ暗箱であり、感光材１１の先端１１Ｂはそれぞれマガジン１２Ａ及び１２Ｂからハウジング１０の内部１０Ｂに引き出されている。感光材１１は、ハウジング１０の内部１０Ｂに設けられたカッタ１３により所定の大きさに切断される。以下、所定の大きさに切断された感光材１１を感光材片１１Ａという。感光材片１１Ａは、ハウジング１０の内部１０Ｂにおいて、コンベア１５により露光位置１５Ｘから感光材片１１Ａの現像処理を行う現像ユニット１６に搬送される。
【００４０】
現像ユニット１６は、それぞれ現像液、定着液、漂白液及び安定化液を収容する複数のタンク１６Ａ〜１６Ｄを有している。レーザ露光装置１４により露光された感光材片１１Ａが現像ユニット１６中を搬送されると、潜像が現像され、感光材片１１Ａの感光面上に画像が形成される。現像された感光材片１１Ａは、乾燥ユニット１３により乾燥され、ハウジング１０の内部１０Ｂから排出される。現像された感光材片１１Ａは、ハウジング１０の上面１０Ａに設けられたソータ１７上に積み重ねられる。
【００４１】
写真処理装置１は、ハウジング１０に設けられた写真処理装置１全体の動作を制御する制御ユニット１８を備えており、制御ユニット１８はパーソナルコンピュータ等からなる本発明が適用される画像処理装置２と通信可能に接続されている。
【００４２】
図２は、本発明が適用される画像処理装置２の機能構成図の一例である。画像処理装置２は、例えば、パーソナルコンピュータ等からなり、画像処理装置２の全体の動作を制御する制御部２１と、外部からの操作を受け付ける操作部２２と、外部に音声を出力するスピーカ２３と、外部に画像を出力するモニタ２４と、写真処理装置１の制御ユニット１８と通信を行う通信制御部２５と、種々の情報を記録用紙に印刷するプリンタ２６とがデータ伝送路であるバスＢＡ２を介して接続されている。
【００４３】
制御部２１は、画像処理装置２の全体の動作を制御するもので、情報処理部（ＣＰＵ）２１１と、処理途中の情報等を一時的に格納するＲＡＭ２１２と、ＯＳ（ｏｐｅｒａｔｉｎｇ  ｓｙｓｔｅｍ）、所定の画像情報等が予め記憶されたＲＯＭ２１３とを備えている。ＲＡＭ２１２またはＲＯＭ２１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４４】
インターフェイス部２２１は、操作部２２との間のデータの授受を行うためのものである。音声再生部２３１は、制御部２１からの指示に従って所定の音声（例えば、アラーム等）等をスピーカ２３に出力するものである。描画処理部２４１は、制御部２１からの画像表示指示に従って所要の画像をモニタ２４に表示させるもので、ビデオＲＡＭ等を備えている。
【００４５】
なお、本発明の画像処理プログラムは、例えばＲＯＭ２１３に格納されており、ＣＰＵ２１１によって実行されることにより、画像処理装置２を各機能部（後述する画像変形部２１１ａ等）として機能させるものである。
【００４６】
ここで、図３〜図６を用いて画像処理装置２の処理の考え方について説明する。図３は、印刷物を凹凸部を有する貼付面に貼り付けた場合の画像の歪みを示す説明図の一例である。（ａ）は、原画像であり、（ｂ）は貼付面の斜視図であり、（ｃ）は、（ａ）に示す原画像の印刷された印刷物を（ｂ）に示す貼付面に貼り付けた場合に、貼付面の正面から視認される画像である。なお、ｘｙｚ直交座標軸を図中にそれぞれ表記している。
【００４７】
（ａ）に示すように、原画像ＰＴ１０は、ｘ軸方向の長さＬＸ１０及びｙ軸方向の長さＬＹ１０で規定される広さの矩形領域に、円がｘ軸方向に１１個、ｙ軸方向に９個だけ、互いに隣接するように格子状に配列されたものである。（ｂ）に示すように、貼付面ＦＰ１は、ｚ軸方向にｘ−ｚ断面が台形状の凸部を有する壁面の表面であって、平面部ＦＰ１上に凸部ＲＳ１が形成されている。平面部ＦＰ１は、領域ＲＡ及びＲＥから構成され、凸部ＲＳ１は、領域ＲＢ、ＲＣ及びＲＤから構成されている。ここで、平面部ＦＰ１を含む平面を基準平面という（ここでは、便宜上、基準平面ＦＰ１という）。また、領域ＲＢ、ＲＣ及びＲＤのｚ軸方向の平行光線による基準平面への投影面のｘ軸方向の長さを、それぞれＬＢ、ＬＣ及びＬＤとする。
【００４８】
（ｃ）に示すように、原画像ＰＴ１０のｙ軸と平行な中心線が凸部ＲＳ１の中心線と一致するように、原画像ＰＴ１０が印刷された印刷物を貼付面ＰＷ１に貼り付けられた場合に、貼付面ＦＰ１の正面から視認される画像（以下、視認画像という）ＰＴ１１は、凸部ＲＳ１の領域ＲＢ及びＲＤに対応する画像がｘ軸方向に縮小される。つまり、原画像ＰＴ１０の内、凸部ＲＳ１の領域ＲＢ及びＲＤに対応する部分画像ＤＡＢ１及びＤＡＤ１が歪んで見える。ここでは、原画像ＰＴ１０である円が縦長の楕円に見えるのである。
【００４９】
このように、凸部ＲＳ１の領域ＲＢ及びＲＤに対応する部分画像ＤＡＢ１及びＤＡＤ１がｘ軸方向に縮小されて見えるため、視認画像ＰＴ１１のｙ軸方向の長さＬＹ１１に対するｘ軸方向の長さＬＸ１１の比（すなわち、ＬＸ１１／ＬＹ１１）は、原画像ＰＴ１０のｙ軸方向の長さＬＹ１０に対するｘ軸方向の長さＬＸ１０の比（すなわち、ＬＸ１０／ＬＹ１０）よりも小さくなる。
【００５０】
図４は、視認画像が図３の（ａ）に示す原画像ＰＴ１０と略一致するように画像を変形する方法を説明するための説明図の一例である。（ａ）は、図３の（ｂ）に示す貼付面ＰＷ１を有する壁面のｘ−ｚ断面図であり、（ｂ）は、原画像ＰＴ１０の拡大率または縮小率（以下、拡縮率という）を求めるための説明図である。（ａ）に示すように、貼付面ＰＷ１の領域ＲＢ及びＲＤは、基準平面ＦＰ１に対してそれぞれ角α及びβだけ傾斜している。貼付面ＰＷ１の領域ＲＣは基準平面ＦＰ１と平行である。
【００５１】
（ｂ）に示すように、貼付面ＰＷ１の領域ＲＢ及びＲＤのｘ−ｚ断面上の長さＬＢα及びＬＢβと、角α及びβとを用いて、長さＬＢ、ＬＣを表すと、次の（１）、（２）式が得られる。
ＬＢ＝ＬＢα×ＣＯＳ（α）          （１）
ＬＤ＝ＬＤβ×ＣＯＳ（β）          （２）
【００５２】
すなわち、貼付面ＰＷ１の領域ＲＢ及びＲＤに貼り付けられる画像の視認画像は、貼付面ＰＷ１の領域ＲＡ及びＲＥ（平面部ＦＰ１）に貼り付けられる画像の視認画像（原画像ＰＴ１０と相似の画像）に対してそれぞれＣＯＳ（α）及びＣＯＳ（β）倍にｘ軸方向に縮小される。従って、貼付面ＰＷ１の領域ＲＢ及びＲＤに貼り付けられる画像を、それぞれ（１／ＣＯＳ（α））及び（１／ＣＯＳ（β））倍にｘ軸方向に拡大しておけば、視認画像が原画像ＰＴ１０と略一致する（略相似の画像となる）ことになる。
【００５３】
図５は、視認画像が図３の（ａ）に示す原画像ＰＴ１０と略一致するように画像を変形した結果を説明するための説明図の一例である。ここでは、角α及びβを６０°としている。すなわち、上述のように貼付面ＰＷ１の領域ＲＢ及びＲＤに貼り付けられる画像を、それぞれ２（＝１／ＣＯＳ（６０°））倍に拡大しておけば、視認画像が原画像ＰＴ１０と略一致する（略相似の画像となる）ことになる。（ａ）は、印刷画像であり、（ｂ）は貼付面の斜視図（図３の（ｂ）を再掲）であり、（ｃ）は、（ａ）に示す印刷画像の印刷された印刷物を（ｂ）に示す貼付面に貼り付けた場合に、貼付面の正面から視認される画像である。なお、ｘｙｚ直交座標軸を図中にそれぞれ表記している。
【００５４】
（ａ）に示すように、視認画像が原画像ＰＴ１０と略一致させるべく記録紙に印刷される画像である印刷画像ＰＴ１２は、図３（ａ）に示す原画像ＰＴ１０のうち貼付面ＰＷ１の領域ＲＢ及びＲＤに貼り付けられる部分画像ＤＡＢ１及びＤＡＤ１の領域ＲＣ側の半分の画像を、それぞれ２（＝１／ＣＯＳ（６０°））倍にｘ軸方向に拡大したものである。
【００５５】
より具体的には、図３に示すように、貼付面ＰＷ１の領域ＲＢ及びＲＤに貼り付けられる原画像ＰＴ１０の部分画像ＤＡＢ１及びＤＡＤ１は、ここではそれぞれ１列の円であるため、これらの２列の円の半円部分をｘ軸方向に２倍に拡大して得られる部分画像ＤＡＢ２及びＤＡＤ２を原画像ＰＴ１０の部分画像ＤＡＢ１及びＤＡＤ１のそれぞれの半円部分（部分画像ＤＡＢ１の右側の半円部分及び部分画像ＤＡＤ１の左側の半円部分）と置き換えることによって印刷画像ＰＴ１２が得られる。
【００５６】
なお、原画像ＰＴ１０の部分画像ＤＡＢ１及びＤＡＤ１をｘ軸方向に拡大するため、印刷画像ＰＴ１２のｙ軸方向の長さＬＹ１２に対するｘ軸方向の長さＬＸ１２の比（すなわち、ＬＸ１２／ＬＹ１２）は、原画像ＰＴ１０のｙ軸方向の長さＬＹ１０に対するｘ軸方向の長さＬＸ１０の比（すなわち、ＬＸ１０／ＬＹ１０）よりも大きくなる。
【００５７】
（ｃ）に示すように、印刷画像ＰＴ１２のｙ軸と平行な中心線が凸部ＲＳ１の中心線と一致するように、印刷画像ＰＴ１２が印刷された印刷物を貼付面ＰＷ１に貼り付けられた場合に、貼付面ＦＰ１の正面から視認される視認画像ＰＴ１３は、凸部ＲＳ１の領域ＲＢ及びＲＤに対応する画像がｘ軸方向に縮小される。つまり、印刷画像ＰＴ１３の内、凸部ＲＳ１の領域ＲＢ及びＲＤに対応する部分画像ＤＡＢ２及びＤＡＤ２が歪んで見える。ここでは、印刷画像ＰＴ１３である横長の楕円の半分が半円に見えるのである。
【００５８】
このように、凸部ＲＳ１の領域ＲＢ及びＲＤに対応する部分画像ＤＡＢ２及びＤＡＤ２がｘ軸方向に縮小されて見えるため、視認画像ＰＴ１３のｙ軸方向の長さＬＹ１３に対するｘ軸方向の長さＬＸ１３の比（すなわち、ＬＸ１３／ＬＹ１３）は、原画像ＰＴ１０のｙ軸方向の長さＬＹ１０に対するｘ軸方向の長さＬＸ１０の比（すなわち、ＬＸ１０／ＬＹ１０）と一致する。
【００５９】
図６は、制御部２１の機能構成図の一例である。制御部２１のＣＰＵ２１１は、原画像データから印刷画像データを生成する画像変形部２１１ａ（画像変形手段に相当する）を備えている。制御部２１のＲＡＭ２１２は、基準平面に対して凹凸部を有する貼付面の形状を規定する形状データ格納する形状記憶部２１２ａ（形状記憶手段に相当する）と、原画像データを格納する原画像記憶部２１２ｂ（原画像記憶手段に相当する）と、印刷画像データを格納する印刷画像記憶部２１２ｃとを備えている。
【００６０】
形状記憶部２１２ａは、基準平面に対して凹凸部を有する貼付面の形状を規定する形状データ格納するものであって、ここでは、凹凸部が、基準平面に垂直な互いに平行な１の平面による凹凸部の断面形状を基準平面と平行な所定の方向（ここでは、ｙ軸方向とする）に平行移動した凹凸部表面の軌跡の形状を有するものであって、形状記憶部２１２ａは、基準平面に垂直な互いに平行な１の平面による凹凸部の断面形状の輪郭線を格納するものである。
【００６１】
なお、凹凸部の断面形状の輪郭線は、公知の種々の方法で格納することが可能である。例えば、輪郭線を折れ線で近似して格納する形態でもよいし、輪郭線を表す関数を求めて関数を規定するパラメータと数式とを格納する形態でもよい。
【００６２】
原画像記憶部２１２ｂは、原画像データを格納するものであって、原画像データは、予め格納されている形態でもよいし、スキャナ等によって読み込まれた原稿画像データを原画像データとして格納する形態でもよい。ここで、原画像データは、貼付面が平面である場合に印刷画像データとして用いられる画像データであって、貼付面に貼り付けられる印刷物に作像される画像データ（印刷画像データ）の原始データ（拡縮処理前の画像データ）である。
【００６３】
印刷画像記憶部２１２ｃは、画像変形部２１１ａによって生成された印刷画像データを格納するものである。印刷画像記憶部２１２ｃに格納されている印刷画像データは、写真処理装置１の制御ユニット１８に読み込まれて、写真処理装置１によって、感光材片１１Ａに対応する画像が形成されるものである。
【００６４】
画像変形部２１１ａは、貼付面の形状に応じて、印刷物が貼付面上に貼り付けられた状態で、原画像データが作像された印刷物が基準平面に貼り付けられた場合と同等の画像であると視認されるべく（すなわち、基準平面と所定角度（例えば、直角）で交差する交線に平行に基準平面に写像された画像が原画像と同一とするべく）、原画像データを部分的に拡縮して印刷画像データを生成するものである。
【００６５】
より具体的には、画像変形部２１１ａは、凹凸部に対応する基準平面を所定の方向（ｙ軸方向）に直交する方向（ｘ軸方向）に所定間隔（例えば、１０ｍｍ間隔）で短冊状に分割した部分領域毎に、部分領域にそれぞれ対応する凹凸部表面（すなわち、輪郭線）に沿ったｙ軸方向に直交する方向（ｘ軸方向）の距離に応じて拡縮率を求め、求められた拡縮率に従って原画像データを拡縮するものである。
【００６６】
図７は、画像処理装置２（制御部２１）の動作を表すフローチャートの一例である。なお、以下の処理は、制御部２１の画像変形部２１１ａによって行われる。また、ここでは、貼付面の凹凸部が１箇所であって、凹凸部に対応する基準平面を短冊状にＮ個の部分領域にｘ軸方向に分割する場合について説明する。なお、分割数Ｎは予め設定されているものとする。まず、形状記憶部２１２ａに格納された輪郭線が読み出されて、凹凸部ＲＳの起点ＳＰ及び終点ＥＰの位置が求められる（ステップＳ１０１）。次いで、起点ＳＰから終点ＥＰまでの距離Ｌが求められる（ステップＳ１０３）。そして、分割数Ｎが読み込まれる（ステップＳ１０５）。
【００６７】
つぎに、基準平面の凹凸部ＲＳに対応する領域が分割数Ｎ個の短冊状の部分領域Ｌ１〜ＬＮ（分割領域の基準平面上の幅も便宜上Ｌ１〜ＬＮと表記する）に分割される（ステップＳ１０７）。ついで、部分領域Ｌ１〜ＬＮに関するカウンタｉの値が初期値１に設定される（ステップＳ１０９）。そして、形状記憶部２１２ａに格納された輪郭線を用いて、部分領域Ｌｉに対応する凹凸部ＲＳの表面（輪郭線）に沿った距離ＬＤｉが求められる（ステップＳ１１１）。つぎに、部分領域Ｌｉに関する拡大率αｉが次の（３）式で求められる（ステップＳ１１３）。
αｉ＝ＬＤｉ／Ｌｉ      （３）
【００６８】
そして、部分領域Ｌｉに対応する原画像ＰＴの部分画像ＰＴｉのデータが原画像記憶部２１２ｂから読み出されて、ｘ軸方向に拡大率αｉ倍に拡大されて部分印刷画像ＱＴｉのデータが求められる（ステップＳ１１５）。次いで、カウンタｉの値が分割数Ｎ以上であるか否かの判定が行われる（ステップＳ１１７）。分割数Ｎ以上ではない（分割数Ｎ未満である）と判定された場合（ステップＳ１１７でＮＯ）には、カウンタｉの値が１だけインクリメントされて（ステップＳ１１９）、処理がステップＳ１１１に戻り、ステップＳ１１１〜ステップＳ１１５の処理が繰り返し実行される。分割数Ｎ以上であると判定された場合（ステップＳ１１７でＹＥＳ）には、原画像ＰＴの凹凸部に対応する領域を除く領域の画像データと部分印刷画像ＱＴｉ（ｉ＝１〜Ｎ）のデータとが合成され印刷画像ＱＴのデータが得られ、印刷画像記憶部２１２ｃに格納されて（ステップＳ１２１）、処理が終了される。
【００６９】
ここで、図８〜図１０を用いて画像処理装置２の処理の具体例について説明する。図８は、印刷物を凹凸部を有する貼付面に貼り付けた場合の画像の歪みを示す説明図の一例である。（ａ）は、原画像であり、（ｂ）は貼付面の斜視図であり、（ｃ）は、（ａ）に示す原画像の印刷された印刷物を（ｂ）に示す貼付面に貼り付けた場合に、貼付面の正面から視認される画像である。なお、ｘｙｚ直交座標軸を図中にそれぞれ表記している。
【００７０】
（ａ）に示すように、原画像ＰＴ２０は、ｘ軸方向の長さＬＸ２０及びｙ軸方向の長さＬＹ２０で規定される広さの矩形領域に、ｙ軸と平行に等間隔で直線が描画されたものである。（ｂ）に示すように、貼付面ＦＰ２は、ｚ軸方向にｘ−ｚ断面が半円柱状の凸部を有する壁面の表面であって、平面部ＦＰ２上に凸部ＲＳ２が形成されている。平面部ＦＰ２は、領域ＲＦ及びＲＨから構成され、凸部ＲＳ２は、領域ＲＧから構成されている。ここで、平面部ＦＰ２を含む平面を基準平面という（ここでは、便宜上、基準平面ＦＰ２という）。
【００７１】
（ｃ）に示すように、原画像ＰＴ２０のｙ軸と平行な中心線が凸部ＲＳ２の中心線と一致するように、原画像ＰＴ２０が印刷された印刷物を貼付面ＰＷ２に貼り付けられた場合に、貼付面ＦＰ２の正面から視認される視認画像ＰＴ２１は、凸部ＲＳ２の中心から両端に近づく程画像がｘ軸方向に縮小される。つまり、原画像ＰＴ２０の内、凸部ＲＳ２に対応する部分画像ＤＡＧ１が歪んで見える。ここでは、原画像ＰＴ２０である等間隔の直線の間隔が縮んで見えるのである。
【００７２】
このように、凸部ＲＳ２の領域ＲＧに対応する部分画像ＤＡＧ１がｘ軸方向に縮小されて見えるため、視認画像ＰＴ２１のｙ軸方向の長さＬＹ２１に対するｘ軸方向の長さＬＸ２１の比（すなわち、ＬＸ２１／ＬＹ２１）は、原画像ＰＴ２０のｙ軸方向の長さＬＹ２０に対するｘ軸方向の長さＬＸ２０の比（すなわち、ＬＸ２０／ＬＹ２０）よりも小さくなる。
【００７３】
図９は、視認画像が図８の（ａ）に示す原画像ＰＴ２０と略一致するように画像を変形する方法を説明するための説明図の一例である。（ａ）は、原画像Ｐ２０であり（図８（ａ）を再掲）、（ｂ）は、図８の（ｂ）に示す貼付面ＰＷ２を有する壁面のｘ−ｚ断面図であり、（ｃ）は、原画像ＰＴ２０の拡縮率を求めるための説明図である。なお、（ａ）において、原画像Ｐ２０に含まれる直線は、画像変形部２１１ａによって基準平面ＦＷ２の凹凸部ＲＳ２に対応する領域ＬＧ（図の斜線部）が分割数Ｎ個（ここでは、Ｎ＝７）の短冊状の部分領域Ｌ１〜Ｌ７に分割された場合の部分領域Ｌ１〜Ｌ７の境界線でもある。
【００７４】
（ｃ）に示すように、貼付面ＰＷ２の領域ＲＧの輪郭線である円弧（半円）の中心を原点Ｏ２としてｘ−ｚ座標をとると、部分領域Ｌ１〜Ｌ７にそれぞれ対応する貼付面ＰＷ２の領域ＲＧのｘ−ｚ断面上（輪郭線である円弧上）の長さＬＧ１γ〜ＬＧ７γは以下のように求められる。まず、長さＬＧ７γの求め方について説明する。
【００７５】
貼付面ＰＷ２の領域ＲＧの輪郭線である円弧を含む円の半径ＲＤは、凹凸部ＲＳ２の始点ＳＰ２と終点ＥＰ２との距離Ｌの１／２である。部分領域Ｌ７に対応する貼付面ＰＷ２の領域ＲＧの輪郭線である円弧の上端点Ｐ７と原点Ｏ２とを結ぶ弦がｘ軸となす角θ７（ラジアン）を用いると、長さＬＧ７γは次の（４）式で求められる。
ＬＧ７γ＝ＲＤ×θ７      （４）
ここで、ＲＤ＝（Ｌ／２）である。
【００７６】
一方、上端点Ｐ７のｘ座標Ｘ７は、部分領域Ｌ１〜Ｌ７が凹凸部ＲＳ２の始点ＳＰ２と終点ＥＰ２との間を７個の領域に均等に分割したものあるから、次の（５）式で求められる。
Ｘ７＝２．５×ＲＤ／３．５      （５）
また、ピタゴラスの定理により、次の（６）式が成り立つ。
ｔａｎ（θ７）＝ＳＱＲＴ（ＲＤ２−Ｘ７２）／Ｘ７      （６）
ここで、ＳＱＲＴ（）は括弧内の式の値の平方根を表す関数である。
（４）及び（６）式より、長さＬＧ７γは次の（７）式で求められる。
ＬＧ７γ＝ＲＤ×ａｒｃｔａｎ（ＳＱＲＴ（ＲＤ２−Ｘ７２）／Ｘ７）      （７）
ただし、Ｘ７＝２．５×ＲＤ／３．５であり、ａｒｃｔａｎ（）は、ｔａｎ（）の逆関数である。
【００７７】
同様にして、部分領域Ｌ６に対応する貼付面ＰＷ２の領域ＲＧの輪郭線である円弧の上端点Ｐ６と原点Ｏ２とを結ぶ弦がｘ軸となす角θ６（ラジアン）を求めることによって、長さＬＧ７γと長さＬＧ６γとの和が求まるため、その値から（７）式で求められた長さＬＧ７γの値を減じることによって長さＬＧ６γが求められる。同様にして、長さＬＧ１γ〜ＬＧ５γの値を求めることができる。そして、部分領域Ｌ１〜Ｌ７に対応する部分画像のｘ軸方向の拡大率α１〜α７が次の（８）式で求められる。
αｉ＝ＬＧｉγ／Ｌｉ（ｉ＝１〜７）      （８）
【００７８】
すなわち、貼付面ＰＷ２の領域ＲＧに貼り付けられる部分領域Ｌ１〜Ｌ７に対応する部分画像の視認画像は、貼付面ＰＷ２の領域ＲＦ及びＲＨ（平面部ＦＰ２）に貼り付けられる画像の視認画像（原画像ＰＴ２０と相似の画像）に対してそれぞれ（Ｌｉ／ＬＧｉγ）倍（ｉ＝１〜７）にｘ軸方向に縮小される。従って、貼付面ＰＷ２の領域ＲＧに貼り付けられる部分領域Ｌ１〜Ｌ７に対応する部分画像を、それぞれ拡大率αｉ倍（ｉ＝１〜７）にｘ軸方向に拡大しておけば、視認画像が原画像ＰＴ１０と略一致する（略相似の画像となる）ことになる。
【００７９】
図１０は、視認画像が図８の（ａ）に示す原画像ＰＴ２０と略一致するように画像を変形した結果を説明するための説明図の一例である。（ａ）は、印刷画像であり、（ｂ）は貼付面の斜視図（図８の（ｂ）を再掲）であり、（ｃ）は、（ａ）に示す印刷画像の印刷された印刷物を（ｂ）に示す貼付面に貼り付けた場合に、貼付面の正面から視認される画像である。なお、ｘｙｚ直交座標軸を図中にそれぞれ表記している。
【００８０】
（ａ）に示すように、視認画像が原画像ＰＴ２０と略一致させるべく記録紙に印刷される画像である印刷画像ＰＴ２２は、図８（ａ）に示す原画像ＰＴ２０を印刷した記録紙を基準平面ＦＰ２に貼り付ける場合に領域ＬＧに貼り付けられる部分画像ＤＡＧ１〜ＤＡＧ７を、それぞれαｉ（ｉ＝１〜７）倍にｘ軸方向に拡大したものである。
【００８１】
なお、原画像ＰＴ２０の部分画像ＤＡＧ１〜ＤＡＧ７をｘ軸方向に拡大するため、印刷画像ＰＴ２２のｙ軸方向の長さＬＹ２２に対するｘ軸方向の長さＬＸ２２の比（すなわち、ＬＸ２２／ＬＹ２２）は、原画像ＰＴ２０のｙ軸方向の長さＬＹ２０に対するｘ軸方向の長さＬＸ２０の比（すなわち、ＬＸ２０／ＬＹ２０）よりも大きくなる。
【００８２】
（ｃ）に示すように、印刷画像ＰＴ２２のｙ軸と平行な中心線が凸部ＲＳ２の中心線と一致するように、印刷画像ＰＴ２２が印刷された印刷物を貼付面ＰＷ２に貼り付けられた場合に、貼付面ＦＰ２の正面から視認される視認画像ＰＴ２３は、凸部ＲＳ２の領域ＲＧに対応する画像がｘ軸方向に縮小される。つまり、印刷画像ＰＴ２３の内、凸部ＲＳ２の領域ＲＧに対応する部分画像ＤＡＧ１〜ＤＡＧ７が歪んで見え、その結果、視認画像ＰＴ２３は、原画像Ｐ２０と略一致する。
【００８３】
このように、凸部ＲＳ２の領域ＲＧに対応する部分画像ＤＡＧ１〜ＤＡＧ７がｘ軸方向に縮小されて見えるため、視認画像ＰＴ２３のｙ軸方向の長さＬＹ２３に対するｘ軸方向の長さＬＸ２３の比（すなわち、ＬＸ２３／ＬＹ２３）は、原画像ＰＴ２０のｙ軸方向の長さＬＹ２０に対するｘ軸方向の長さＬＸ２０の比（すなわち、ＬＸ２０／ＬＹ２０）と略一致する。
【００８４】
上述のようにして、画像変形部２１１ａによって、貼付面ＰＷの形状に応じて、印刷物が貼付面ＰＷ上に貼り付けられた状態で、原画像データが作像された印刷物が基準平面ＦＰに貼り付けられた場合と同等の画像であると視認されるべく、原画像データに対して部分的に拡大及び縮小の少なくとも一方の拡縮処理（ここでは、拡大処理）が施されて印刷画像データが生成されるため、この印刷画像データを作像して印刷物として貼付面に貼り付けた場合に、貼付面ＰＷに凹凸部ＲＳがあるにもかかわらず、印刷物の視認される画像の歪みが軽減される。
【００８５】
また、凹凸部ＲＳが、基準平面ＦＰに垂直な互いに平行な１の平面（ｘ−ｚ平面）による凹凸部ＲＳの断面形状を基準平面ＦＰと平行な所定の方向（ｙ軸方向）に平行移動した凹凸部ＲＳ表面の軌跡の形状を有しているため、貼付面の形状を規定する形状データが断面形状の輪郭線として規定され、形状記憶部２１２ａに形状データが容易に且つコンパクトに格納される。
【００８６】
更に、部分領域毎に対応する原画像データの拡縮率αｉが求められ、原画像データが部分領域毎の拡縮率αｉに従って拡縮されるため、拡縮率αｉを求める処理及び原画像データを拡縮する処理が簡略化される。
【００８７】
加えて、凹凸部ＲＳ表面に沿った所定の方向（ｙ軸方向）に直交する方向（ｘ軸方向）の距離に応じて拡縮率αｉが求められるため、印刷物の視認される画像の歪みが良好に軽減される。
【００８８】
なお、本発明は以下の形態をとることができる。
【００８９】
（Ａ）本実施形態においては、写真処理装置１によって画像が形成される場合について説明したが、インクジェット方式等のプリンタ他の種類の画像形成装置によって画像が形成される形態でもよい。すなわち、本発明は、写真処理装置１を含む種々の画像形成装置に適用することができる。
【００９０】
（Ｂ）本実施形態においては、画像処理装置２がパーソナルコンピュータからなる場合について説明したが、専用のハードウェアを備える形態でもよい。また、本実施形態においては、画像処理装置２が写真処理装置１と通信可能に接続されている場合について説明したが、画像処理装置２が写真処理装置１の一部に組み込まれている形態でもよい。
【００９１】
（Ｃ）本実施形態においては、基準平面ＦＰが貼付面ＰＷの一部を形成している場合について説明したが、基準平面ＦＰが貼付面ＰＷの一部を形成していない形態でもよい。例えば、図１１に示すように、円錐台の側面が貼付面ＲＳ３である場合には、貼付面ＲＳ３の両端の辺を含む仮想的な基準平面ＦＰ３を想定すると基準平面ＦＰが貼付面ＰＷの一部を形成している場合と同様に印刷画像を求めることが可能である。
【００９２】
（Ｄ）本実施形態においては、画像変形部２１１ａが部分領域にそれぞれ対応する凹凸部表面に沿ったｙ軸方向に直交する方向（ｘ軸方向）の距離に応じて拡縮率を求める場合について説明したが、基準平面と輪郭線の接線又は法線とのなす角に応じて原画像データの拡縮率を求める形態でもよい。例えば、図１０（ｃ）で説明した方法に替えて、図１２に示すように、部分領域Ｌ１〜Ｌ３の所定の点（例えば中点）を通り、ｚ軸と平行な直線と、輪郭線との交点Ｐ１１〜Ｐ７１を求め、交点Ｐ１１〜Ｐ７１における輪郭線の接線と基準平面とのなす角φ１〜φ７を求め、拡縮率α１〜α７を（１／ＣＯＳ（φｉ））（ｉ＝１〜７）として求める方法でもよい。
【００９３】
（Ｅ）本実施形態においては、画像変形部２１１ａが凹凸部ＲＳに対応する画像を拡大する場合について説明したが、逆に、凹凸部ＲＳに対応する画像を除く画像を縮小する形態でもよい。
【００９４】
（Ｆ）本実施形態においては、貼付面の凹凸部が１箇所である場合について説明したが、貼付面が凹凸部を複数備える形態でもよい。この場合には、図７に示すフローチャートの動作を凹凸部毎に複数回繰り返して行えばよい。
【図面の簡単な説明】
【００９５】
【図１】本発明が適用される写真処理装置の概略構成図の一例である。
【図２】本発明が適用される画像処理装置の機能構成図の一例である。
【図３】印刷物を凹凸部を有する貼付面に貼り付けた場合の画像の歪みを示す説明図の一例である。
【図４】視認画像が図３の（ａ）に示す原画像と略一致するように画像を変形する方法を説明するための説明図の一例である。
【図５】視認画像が図３の（ａ）に示す原画像と略一致するように画像を変形した結果を説明するための説明図の一例である。
【図６】制御部２１の機能構成図の一例である。
【図７】画像処理装置２（制御部２１）の動作を表すフローチャートの一例である。
【図８】印刷物を凹凸部を有する貼付面に貼り付けた場合の画像の歪みを示す説明図の一例である。
【図９】視認画像が図８の（ａ）に示す原画像と略一致するように画像を変形する方法を説明するための説明図の一例である。
【図１０】視認画像が図８の（ａ）に示す原画像と略一致するように画像を変形した結果を説明するための説明図の一例である。
【図１１】仮想的な基準平面の説明図の一例である。
【図１２】基準平面と接線とのなす角から拡縮率を求める方法の説明図の一例である。
【符号の説明】
【００９６】
１  写真処理装置
２  画像処理装置
２１  制御部
２１１  ＣＰＵ
２１１ａ  画像変形部（画像変形手段）
２１２  ＲＡＭ
２１２ａ  形状記憶部（形状記憶手段）
２１２ｂ  原画像記憶部（原画像記憶手段）
２１２ｃ  印刷画像記憶部
２１３  ＲＯＭ
【図１】
2005167454.tif 000003
【図２】
2005167454.tif 000004
【図３】
2005167454.tif 000005
【図４】
2005167454.tif 000006
【図５】
2005167454.tif 000007
【図６】
2005167454.tif 000008
【図７】
2005167454.tif 000009
【図８】
2005167454.tif 000010
【図９】
2005167454.tif 000011
【図１０】
2005167454.tif 000012
【図１１】
2005167454.tif 000013
【図１２】
2005167454.tif 000014